(57)【要約】      （修正有）【課題】書物の内容から必要な該当箇所を誰でも容易に迅速に探し出すための見出し索引手段を備えた書物を提供することである。【解決手段】書物を構成する内容を少なくとも二つの基本的な大分類区分でもって集約した区切りに応じて綴じたものを合体製本として構成したものであって、大分類区分に対応した見出し１１を設け、中分割境界の紙面に中区分の内容を示す見出しを設けるとともに、全頁の紙面上縁部に、全てのものが一覧できる一覧帯状見出し２２を設け、該当箇所に分別視認色彩や符号２２１を付け、他の見出しとの識別可能に表示したこと、と中区分に属し且つ、個別の紙面に個々の内容を記載した小区分見出し２２２とを設けて、目的のものを索出する一連のナビゲーションを成す見出し索引手段を備えた【選択図】図１
0003135059.tif 000002
【実用新案登録請求の範囲】
【請求項１】
書物を構成する内容を少なくとも二つの基本的な大分類区分でもって集約した区切りに応じて綴じたものを合体製本として構成したものであって、当該書物の表紙または最初乃至最寄りの頁に前記大分類区分に対応した見出しを設け、該大区分見出しに適用する内容で中区分で分割して綴じられた分割境界の紙面に中区分の内容を示す見出しを設けるとともに、該中区分見出しに記載案内された該当する頁の紙面上縁部の少なくとも一部に前記中区分見出しに記載案内された全てのもの一覧できる一覧帯状見出しを設け、該帯状見出しを、見開いている頁に掲載された一覧帯状見出しの該当箇所に、少なくとも部分的色彩または分別視認符号を付けることによって、他の見出しとの識別可能に表示したこと、と該中区分に属し且つ、個別の小区分で区切られた紙面に個々の内容を記載した小区分見出しとを設けて、目的のものを索出する一連のナビゲーションを成す見出し索引手段を備えた書物。
【請求項２】
前記小区分で区切られた紙面上に個々の内容に関係する情報を相互に案内や知らしめるべく付与見出しまたはリンク見出しを設けた請求項１に記載の見出し索引手段を備えた書物。
【請求項３】
前記中区分の内容を示す見出しを、少なくとも表示の一部を扉または窓状の枠を設けるとともに視認イラストまたは画像類で表示した請求項１または請求項２に記載の見出し索引手段を備えた書物。
【請求項４】
書物を構成する内容を少なくとも二つの基本的な大分類区分でもって集約した区切りに応じて綴じたものを合体製本として構成したものであって、当該書物大分類区分において、その区分内を所定のジャンル別に分割して、該分割境界を明示すべく各紙面側縁部に前記ジャンル別の内容を示す見出しを設けた請求項１、請求項２または請求項３に記載の見出し索引手段を備えた書物。
【考案の詳細な説明】
【技術分野】
【０００１】  本考案は主としてカタログや各種のマニュアルにおける見出し索引手段を備えた書物に関するものである。詳しくは書物の内容から必要な該当箇所を誰でも容易に迅速に探し出すための見出し索引手段を備えた書物に関するものである。
【背景技術】
【０００２】  特に自動車やオートバイ等の部品や用品に関するカタログや各種のマニュアルは、多種多様の物品が膨大な厚さの本になっているものが多い。
こうした厚い書物の中から、自分が必要とするものを、探し出す場合には一般には目次や見出し及び巻末の索引を見ても容易に見出すことができないで、特に急いでいる場合にはイラツキの不快さを感ずることが多くある。そこで、特に商品カタログ等は商品を販売する側だけでなく、顧客やユーザー共々、少しでも速く、誰でもが容易に、求めたい物が索出できるナビケーション的な索引手段を強く市場から求められている。【０００３】  こうした背景によって、従来から、見出しにさまざまな工夫がされている書物やカタログ・情報誌などが開示されている。例えば、「見出し表示」として、見出しに記載されているページに字母表を表記すると共に、当該ページに記載されている見出しの文字等を他と識別可能に表示することである。（参考文献１参照）【０００４】  また、「インデックス機能を有するカタログ」として、各作業工程に該当する商品説明が掲載されるカタログ指定頁都を表示した工程別インデックスが見開きに掲載されていることである。（参考文献２参照）【０００５】  更に、「情報誌」として、最初の見出しに対応する詳細情報を一覧紙面まとめて、それらを物件情報、販売情報およびサービス情報を割り付けたページを合本的に綴じたものである。（参考文献３参照）【０００６】  しかし、上記のいづれのものも、所定の単元や章の構成から、それに該当する詳細情報を、単独に見出すだけのものであって、その中に該当するものが、そこに記載されていなかった場合には、単元全体の紙面を探し回らなければならない欠点があり、結果的に自分の欲しい該当するものが存在するのか否か、ということも不明となって不快感が募るという問題がある。故にに誰もが容易に求めるものを索出できる一連のナビケーション的な索引手段を要求される。
【参考文献】
【特許文献１】  特開２００２−１０３８４６号公報
【特許文献１】  特開２００１−２２２７６号公報
【特許文献１】  特開２００２−２７４２３８号公報
【考案の開示】
【考案が解決しようとする課題】
【０００７】  本考案は、前述の背景を基に、従来の欠点を排除し、問題を解決したもので、書物の内容から必要な該当箇所を誰でも容易に迅速に探し出すための見出し索引手段を備えた書物を提供することである。
【課題を解決する為の手段】
【０００８】  書物を構成する内容を少なくとも二つの基本的な大分類区分でもって集約した区切りに応じて綴じたものを合体製本として構成したものであって、当該書物の表紙または最初乃至最寄りの頁に前記大分類区分に対応した見出しを設け、該大区分見出しに適用する内容で中区分で分割して綴じられた分割境界の紙面に中区分の内容を示す見出しを設けるとともに、該中区分見出しに記載案内された該当する頁の紙面上縁部の少なくとも一部に前記中区分見出しに記載案内された全てのもの一覧できる帯状見出しを設け、該帯状見出しを、見開いている頁に対応する帯状見出しの少なくとも部分的色彩または分別視認符号を付けることによって、他の見出しとの識別可能に表示したこと、と該中区分に属し且つ、小区分で区切られた紙面に個々の内容詳細を記載したことを設けて、目的のものを索出する一連のナビゲーションを成す見出し索引手段を備えた書物である。
【０００９】  また、前記小区分で区切られた紙面上に個々の内容に関係する情報を相互に案内や知らしめるべく付与見出しまたはリンク見出しを設けると良い。
【００１０】  また、前記中区分の内容を示す見出しを、少なくとも表示の一部を扉または窓状の枠を設けるとともに視認イラストまたは画像類で表示すると好ましい。
【００１１】  そして、書物を構成する内容を少なくとも二つの基本的な大分類区分でもって集約した区切りに応じて綴じたものを合体製本として構成したものであって、当該書物大分類区分において、その区分内を所定のジャンル別に分割して、該分割境界を明示すべく各紙面側縁部に前記ジャンル別の内容を示す見出しを設けることも考えられる。
【考案の効果】
【００１２】  本考案による見出し索引手段を備えた書物によれば、書物の内容から必要な該当箇所を誰でも容易に迅速に探し出すことができる。しかも、構成が簡単なので大量生産にも適し、安価にて市場に供給することもできる。
【００１３】  また、小区分で区切られた紙画上に個々の内容に関係する情報を相互に案内や知らしめるべく付与見出しまたはリンク見出しを設けたことによって、一貫して関係する詳細情報や参考情報まで、容易に知ることができ、時には必要に応じて元の関係先の情報まで、即座に表示された頁にて戻ることもできる。従って、最初の目次や見出しまで戻って、やり直して見直すことを要しないことである。
【００１４】  また、中区分の内容を示す見出しを、少なくとも表示の一部を扉または窓状の枠を設けるとともに視認イラストまたは画像類で表示したことによって、求める現物に近い画像などによって、見間違いの防止ができ、しかも美しく楽しい検索作業とすることができる。
【００１５】  更に、書物大分類区分において、その区分内を所定のジャンル別に分割して、該分割境界を明示すべく各紙面側縁部に前記ジャンル別の内容を示す見出しを設けたことによって、各紙面の上縁部の頁見出しに加えて側縁部に前記ジャンル別の内容を示す見出しがあるので、求めるものを探す目の動きは縦と横からの交点をとらえるので、言わば地図などのマトリックス的に紙面エリアを限定することができるので、より一層能率良い検索作業とすることができ速く見出すことができる。
【考案を実施するための最良な形態】
【００１６】  以下、本考案による実施の形態を図面に基づいて説明する。
図１は本考案の見出し索引手段を備えた実施例の書物の構成概略説明図である。
【実施例１】
【００１７】  本実施例の書物１はオートバイを主体とする各種の部品や用品を販売広告するカタログ誌であって、極めて沢山の物品が掲載されている。そして、全商品がジャンル別に分けられたものを、大別した大分類の商品別に掲載した部分２と、車種別に掲載した部分３と、その他の項目である文字列、数字列での索引一覧としての商品名や品番の区別二掲載した部分４とを備えている。
図１で示すように、カタログ誌１の裏表紙に前記大分類区分に対応した大分類見出し１１である「商品で探す→Ｐ１〜」と「車種で探す→Ｐ３２３〜」とを設けて、最初の大区分（分類）案内をしている。続いて案内のＰ１である１頁目には主要商品を１８分類した商品一覧見出し１２と、Ｐ３２３である３２３頁目には主要商品を９車種で分類した車種一覧見出し１３を備えている。【００１８】  そして、次の案内として前記商品一覧見出し１２の中の最初の分類に適用する「ブレーキパッド」の内容で中区分で分割して綴じられた分割境界の紙面に商品「ブレーキパッド」としての商品中区分内容を示す中区分見出し２１を設けるとともに、本実施例では「扉ナビ」と称して、整列した扉状の枠のなかに内容の主要品の写真またはイラストやそれに代わるアイキャッチャーを表示して分かり易くした画像（イラスト）見出し２１１としている。【００１９】  更に、該中区分見出し２１に記載案内された該当する頁の紙面の上縁部に前記商品中区分見出し２１に記載案内された該中区分に属する全てのもの一覧できる一覧帯状見出し２２を設け、該一覧帯状見出し２２を本実施例では「ページナビ」と称して、見開いている頁に掲載された一覧帯状見出し２２の各区分枠内に適用案内する頁を記載して、見開いている該当箇所に赤色で塗りつぶされた部分的色彩識別部２２１を付けることによって、他の見出しとの識別可能に表示されている。【００２０】  そして、該中区分に属し且つ、個別商品の小区分で区切られた紙面に個々の内容を記載した小区分見出し２２２とを設けて、目的のものを索出することができるよう、一連のナビゲーションを成す各見出し索引手段を備えた書物である。【００２１】  従って、どの頁にも上縁に一列の帯状見出し２２が設けられているので、該当箇所だけが赤色で塗りつぶされた部分的色彩識別部２２１で、一見でわかるようになっていて、求めている必要な物を直ぐに発見することができる。
また、同時に参考とする他の機種や他の商品分野等を、現在見開いている頁の紙面から求めたい箇所を直接帯状見出しのページ表示で該当するページに移ることにより、瞬時にして見出すこともできる。【００２２】  更に、前記小区分で区切られた紙面上に個々の内容に関係する情報を相互に案内や知らしめるべく参照注記見出し２２３またはリンク見出し２２４を、本実施例では「ジャンプナビ」と称して、必要に応じた場所に設けている。
これは小区分での商品等が仕様別に異なっていて特に参照的事項を有したり、その商品等の取り扱い時に特別な注意を必要とする場合には該当するものの注意事項をまとめた紙面に案内するためのものである。
また、他の頁にも同一や類似商品が紹介されている場合に関連付けるためのリンク見出し２２４を設けている。これによって、当初大分類の商品分類から検索し始めた場合と、車種分類から検索し始めた場合でも、相互にどちらから検索し始めても結果的に求める同じ物が見出せることとなって、大変便利で効果的である。【００２３】  図２は本考案の縦と横の見出しを備えた書物の紙面概略説明図である。
図２に示すように、本実施例では対象となる印刷本の内容を示す書物大分類区分において、その区分内を所定のジャンル別に分割して、該分割境界を明示すべく中区分見出し２１、３１に連動合致させた各紙面側縁部に前記ジャンル別の内容を示す見出しを設けたもので、全ての紙面の左右の側縁に一列の帯状見出しを設けたものである。
図で示すように、全ての紙面の左右の側縁に一列の帯状見出しは従来からよく実施されているタブ見出しと同様であるが、印刷のため特別なコストを必要としない。また、印刷本の物品の内容を縦横から確認することができ、マトリックス的な見出し効率の良い物にすることができる。【００２４】  図３は本考案の書物における商品で探す場合の構成と検索作業の流れを示す説明図である。
図３に示すように、本実施例では例えば「車種モンキー用グラブバー」を検索する場合であって、先ずジャンル別「商品で探す」という商品一覧見出し１２の中から「シート・グラブバー＆ステップ」の表示頁のＰ１４５を把握して、該当の１４５頁にある「扉ナビ」の商品別中区分見出し２１の「グラブバー」写真表示枠Ｐ１５８を把握して、該当の１５８頁の上縁にある一覧帯状見出し２２である「ページナビ」の赤く塗りつぶさ「ジャンプナビ」Ｐ４９１が案内されている。その該当紙面４９１頁を見ると先述の車種別掲載部３の表示頁と同じことになることが分かる。すなわち、最初の見出しはどちらから検索を始めても結果的に求める物品（商品）に行き着くことができろものである。【００２５】  図４は本考案の書物における車種で探す場合の構成と検索作業の流れを示す説明図である。
ここでは、最初の検索始めが該当する車種区分「４ストミニ」から順次前記の手順の案内に沿って進めていけば、やはり同様の結果が得られるようになっている。【００２６】  図５は本考案の書物であるカタログ誌における特徴と具体的な使用例での検索手順を示す説明図である。
これを使用するときは、例えば「モンキー用グラブバー」を検索する場合には、それぞれのユーザーの保有している情報に基づいて、先ず４種類の入り口から検索方法を選択して、特に主場面での「商品および車種で探す」が用いられ、次に「商品ジャンル別インデックス」と称される商品一覧見出し１２または「車種ジャンル別インデックス」と称される車種一覧見出し１３の案内表示頁に沿って、次に「扉ナビ」と称される中区分見出し２１、３１を経由して小区分見出し２２２の商品名一覧に該当物が存在していることがわかる。
即ち、どちらの見出し（インデックス）から検索し始めても同じものが見出せるので好ましい。
その他、商品名や品番からも探し出すこともできる。【００２７】  上記の構造によれば、いずれも表示された頁の案内に沿って、該当する頁を順次開いていけば、誰でもが自ずと求めるものが記載された紙面に迅速に到達することができる。【００２８】  本考案は、上記実施形態に限定されないで、本考案の技術的範囲を逸脱しない限り各種の変更が考えられ、それらに係る各種の実施形態を包含するものである。
例えば、図示していないが、本考案を商品の取り扱い説明書や修理書およびトラブルシューティング等の教育資料書物にも、それぞれに適した区分けに応じてアレンジして用いることも可能である。
【図面の簡単な説明】
【００２９】
【図１】  本考案の見出し索引手段を備えた書物の構成概略説明図である。
【図２】  本考案の縦と横の見出しを備えた書物の紙面概略説明図である。
【図３】  本考案の書物における商品で探す場合の構成と検索作業の流れを示す説明図である。
【図４】  本考案の書物における車種で探す場合の構成と検索作業の流れを示す説明図である。
【図５】  本考案の書物における特徴と具体的な使用例での検索手順を示す説明図である。
【符号の説明】
【００３０】１  書物（カタログ誌）
１１  大分類見出し
１２  商品一覧見出し
１３  車種一覧見出し
２  商品別掲載部
２１  商品別中区分見出し
２１１  画像（イラスト）見出し
２２  一覧帯状見出し
２２１  部分的色彩識別部
２２２  小区分見出し
２２３  参照注記見出し
２２４  リンク見出し
２２５  ジャンル別タブ見出し
３  車種別掲載部
３１  車種別中区分見出し
３２  一覧帯状見出し
４  その他の掲載部
４１  商品名文字列索引
４２  部品番号別索引
Ａ  商品写真
Ｐ  頁表示
【図１】
0003135059.tif 000003
【図２】
0003135059.tif 000004
【図３】
0003135059.tif 000005
【図４】
0003135059.tif 000006
【図５】
0003135059.tif 000007
【手続補正書】
【提出日】平成19年5月30日(2007.5.30)
【手続補正１】
【補正対象書類名】明細書
【補正対象項目名】００２４
【補正方法】変更
【補正の内容】
【００２４】  図３は本考案の書物における商品で探す場合の構成と検索作業の流れを示す説明図である。
図３に示すように、本実施例では例えば、調べたいモデルである「ＡＡＡ用グラブバー」を検索する場合であって、先ずジャンル別「商品で探す」という商品一覧見出し１２の中から「シート・グラブバー＆ステップ」の表示頁のＰ１４５を把握して、該当の１４５頁にある「扉ナビ」の商品別中区分見出し２１の「グラブバー」写真表示枠Ｐ１５８を把握して、該当の１５８頁の上縁にある一覧帯状見出し２２である「ページナビ」の赤く塗りつぶされた「ジャンプナビ」Ｐ４９１が案内されている。その該当紙面４９１頁を見ると先述の車種別掲載部３の表示頁と同じことになることが分かる。
すなわち、最初の見出しはどちらから検索を始めても結果的に求める物品（商品）に行き着くことができるものである。
【手続補正２】
【補正対象書類名】明細書
【補正対象項目名】００２６
【補正方法】変更
【補正の内容】
【００２６】  図５は本考案の書物であるカタログ誌における特徴と具体的な使用例での検索手順を示す説明図である。
これを使用するときは、例えば調べたいモデルである「ＡＡＡ用グラブバー」を検索する場合には、それぞれのユーザーの保有している情報に基づいて、先ず４種類の入り口から検索方法を選択して、特に主場面での「商品および車種で探す」が用いられ、次に「商品ジャンル別インデックス」と称される商品一覧見出し１２または「車種ジャンル別インデックス」と称される車種一覧見出し１３の案内表示頁に沿って、次に「扉ナビ」と称される中区分見出し２１、３１を経由して小区分見出し２２２の商品名一覧に該当物が存在していることがわかる。
即ち、どちらの見出し（インデックス）から検索し始めても同じものが見出せるので好ましい。
その他、商品名や品番からも探し出すこともできる。
【手続補正３】
【補正対象書類名】図面
【補正対象項目名】図３
【補正方法】変更
【補正の内容】
【図３】
0003135059.tif 000008
【手続補正４】
【補正対象書類名】図面
【補正対象項目名】図４
【補正方法】変更
【補正の内容】
【図４】
0003135059.tif 000009
【手続補正５】
【補正対象書類名】図面
【補正対象項目名】図５
【補正方法】変更
【補正の内容】
【図５】
0003135059.tif 000010